(57)【要約】【課題】使用時に溶質を溶かすことが可能な容器を提供する。【解決手段】飲料水（溶媒）２を貯留した容器本体３と、その容器本体３の上端に形成される口部Ｏを着脱自在に覆うとともに、顆粒状のお茶エキス（溶質）４を収容する収容側部５Ｉ（収容部）および着脱自在の底止部（収容部）８を内設したキャップ（蓋部）５とを備える。そして、キャップ５を容器本体３から取り外す際に底止部８を取り外すための保持体上部（取外部）６Ｃを備える。【選択図】図１
2007001652.tif 000002
【特許請求の範囲】
【請求項１】
溶媒を貯留した容器本体と、
該容器本体の上端に形成される口部を着脱自在に覆うとともに、溶質を収容する収容部を内設した蓋部とを備える容器であって、
前記収容部に底面を形成する着脱自在の底止部を有するとともに、
前記蓋部を前記容器本体から取り外す際に前記底止部を取り外すための取外部を備えることを特徴とする、容器。
【請求項２】
前記蓋部が、前記収容部を有する着脱自在のキャップと、該キャップの下部に取り付けられた保持体とから構成され、
該保持体が、
前記キャップを前記容器本体から取り外す際に前記底止部を取り外すための前記取外部と、取り外された前記底止部を受け止める受部とを有し、
該受部に貫通孔を設けたことを特徴とする、請求項１に記載の容器。
【請求項３】
前記取り外された底止部が前記貫通孔を塞ぐことを防止するための突起を前記受部に備えることを特徴とする、請求項２に記載の容器。
【発明の詳細な説明】
【技術分野】
【０００１】
本発明は、例えば飲料水などの溶媒と、液状または固形もしくは半固形のお茶エキスなどの溶質とを分離して備えた容器に関する。
【背景技術】
【０００２】
従来、お茶飲料のペットボトル（容器）は、お茶エキスが飲料水に溶けた状態で容器本体内に充填され、容器本体の口部をキャップで閉じられた状態で販売されている。消費者はこのお茶を飲むときはキャップを回して開封し、容器本体の口部に口をつけてお茶飲料を飲んでいた。
【０００３】
しかし、このような従来のお茶飲料は、溶質であるお茶エキスと溶媒である飲料水とを製造工程で混ぜ合わせてペットボトルに充填したものであり、時間の経過とともにお茶の香りや風味が劣化してしまい、消費者がこのお茶のペットボトルを購入して飲むときには、製造時のお茶飲料の品質を十分に保持することができないという問題があった。
これに対しては、飲料水の充填された容器と、袋に入った顆粒状のお茶エキス（溶質）とをそれぞれ別々に所持し、飲用する際にお茶エキスを容器内の飲料水に溶かすという方法が考えられる。
【発明の開示】
【発明が解決しようとする課題】
【０００４】
しかし、このような方法では、飲料水の充填された容器とお茶エキスを別々に所持するため、一方をなくしてしまう恐れがある。特に、お茶エキスは容器に比べて小さいため、なくしてしまう可能性が高く、必要なときにお茶飲料を飲むことができないという問題が生じる恐れがある。
そこでこの発明の目的は、使用時に溶質を溶かすことが可能な容器を提供することにある。
【課題を解決するための手段】
【０００５】
このため請求項１に記載の発明は、溶媒を貯留した容器本体と、
該容器本体の上端に形成される口部を着脱自在に覆うとともに、溶質を収容する収容部を内設した蓋部とを備える容器であって、
前記収容部に底面を形成する着脱自在の底止部を有するとともに、
前記蓋部を前記容器本体から取り外す際に前記底止部を取り外すための取外部を備える。
【０００６】
請求項２に記載の発明は、請求項１に記載の容器において、前記蓋部が、前記収容部を有する着脱自在のキャップと、該キャップの下部に取り付けられた保持体とから構成され、
該保持体が、
前記キャップを前記容器本体から取り外す際に前記底止部を取り外すための前記取外部と、取り外された前記底止部を受け止める受部とを有し、
該受部に貫通孔を設けたことを特徴とする。
【０００７】
請求項３に記載の発明は、請求項２に記載の容器において、前記取り外された底止部が前記貫通孔を塞ぐことを防止するための突起を前記受部に備えることを特徴とする。
【発明の効果】
【０００８】
請求項１に記載の発明によれば、溶媒を貯留した容器本体と、その容器本体の上端に形成される口部を着脱自在に覆うとともに、溶質を収容する収容部を内設した蓋部とを備える容器であって、収容部に底面を形成する着脱自在の底止部を有するとともに、蓋部を容器本体から取り外す際に底止部を取り外すための取外部を備えるので、溶質と溶媒とを別々に所持する手間が省けるとともにいずれかを紛失してしまう恐れを回避することができる。また、取外部によって底止部を取り外すことによって溶質を溶媒中に落下させるので、簡単な構成で溶質を溶媒と混ぜ合わせることができる。
さらに、使用時に溶質を溶かすことが可能な容器を提供することができ、溶質と溶媒とを混ぜ合わせた状態ですぐに飲用または使用することができる。
【０００９】
請求項２に記載の発明によれば、蓋部が、収容部を有する着脱自在のキャップと、そのキャップの下部に取り付けられた保持体とから構成され、その保持体が、キャップを容器本体から取り外す際に底止部を取り外すための取外部を有するので、簡単に底止部を取り外すことができる。また、取り外された底止部を受け止める受部を有するので取り外された底止部が容器本体内に落下することを防止することができる。さらに、その受部に貫通孔を設けたので、溶質が貫通孔を通って容器本体に落下することができる。
【００１０】
請求項３に記載の発明によれば、取り外された底止部が貫通孔を塞ぐことを防止するための突起を受部に備えるので、取り外された底止部で貫通孔を塞いで、溶質が容器本体に不到達となることを防止できる。
【発明を実施するための最良の形態】
【００１１】
以下、図面を参照しつつ、この発明を実施するための最良の形態について詳述する。
図１は、この発明の容器の一例として、容器の上部にお茶エキスを顆粒状に備えた飲料容器の断面図である。
容器１は、飲料水（溶媒）２を貯蔵した容器本体３と、容器本体３の上端に係合する保持体６と、保持体６の上部に係合するキャップ５などを備える。保持体６とキャップ５とで蓋部を構成する。なお、キャップ５の内側には顆粒状のお茶エキス（溶質）４を収容する底止部８などから構成される収容部を備える（後述）。また、保持体６の内側下部には受部７を着脱自在に取り付ける。
【００１２】
図２には、容器１の上部拡大断面図を示す。
容器本体３はＰＥＴなどにより形成され、容器本体３の上部外周には雄ネジが形成されている。
保持体６は樹脂の一体成形により形成される。保持体６は、円筒状の保持体下部６Ａと、保持体下部６Ａの上端に水平方向に連続して形成されたドーナツ板状の保持体中部６Ｂと、保持体中部６Ｂ内側縁から上方に起立して連続的に設けられた円筒状の保持体上部（取外部）６Ｃ、および、保持体中部６Ｂ下面側に連続して設けられた円筒状の取付部６Ｄより構成される。この取付部６Ｄの側面にはお茶エキス４を容器本体３に流下させるための複数の貫通孔が形成されている。また、保持体下部６Ａの内周には容器本体３の上部外周に形成された雄ネジに係合する雌ネジを設ける。一方、保持体上部６Ｃの外周には雄ネジを設ける。
【００１３】
キャップ５は樹脂の一体成形により形成される。キャップ５は、円筒状のキャップ側部５Ｓと、キャップ側部５Ｓの上端の開口を塞ぐように、キャップ側部５Ｓの上端に連続して円盤状に形成されたキャップ天部５Ｕ、およびキャップ天部５Ｕの下面側に連続して形成された円筒状の収容側部５Ｉとから構成される。この収容側部５Ｉの下部外周には、後述するように底止部８の爪部８Ｃを掛け止めるための掛止凹部５Ｄが形成されている。なお、収容側部５Ｉと底止部８とで収容部を構成する。
また、キャップ側部５Ｓの内周の適当な位置に、上記保持体上部６Ｃの外周に設けられた雄ネジに係合する雌ネジを設ける。
【００１４】
底止部８は樹脂の一体成形により形成される。図３（ａ），（ｂ）に示すように、円盤状の底部８Ａと、底部８Ａの外周より上方に連続して形成された円環状の側部８Ｂと側部８Ｂの上端から内側に向けて連続して形成された爪部８Ｃを有する。
なお、図２に示すように、底止部８の側部８Ｂの外側面位置Ｓ２と保持体６の保持体上部６Ｃの外側面位置Ｓ１とは距離Ｄだけオーバーラップするように、底止部８と保持体６とが配置される。換言すると、側部８Ｂの上端８Ｕと保持体上部６Ｃの下端６ＣＢとが底面視で一部重なるように配設される。
【００１５】
そして、お茶エキス４を収容部に収容する。詳しくは、お茶エキス４を収容側部５Ｉに投入した状態で底止部８を取り付ける。
【００１６】
取付部６Ｄの下部を覆うように受部７を取り付ける。詳しくは、取付部６Ｄの外周の適当な位置に掛止凹部を形成する。一方、その掛止凹部に掛け止めるためフック７Ｅを有する受部７を取り付ける。
受部７は、図４（ａ），（ｂ）に示すように、貫通孔７Ｂを複数有する円盤状の底部７Ｄと、底部７Ｄの外周縁から上方に連続して形成された円筒部７Ｃ、円筒部７Ｃの上端に内側向きに連続して形成されたフック７Ｅ、底部７Ｄの中央に形成された突起７Ａから構成される。なお、円筒部７Ｃには、お茶エキス４を通過させるための貫通孔７ＣＡが多数形成されている。
【００１７】
なお、突起７Ａは、底止部８が受部７に落下した際に、貫通孔７Ｂを閉塞することを防ぐために設けられる。したがって、この効果を発揮させるためには、図２に示すように、底止部８の底部８Ａの外径Ｌ２は、受部７の内半径Ｌ１よりも大きくすることが望ましい。
そして、いたずら防止などを目的とした不図示のシュリンクフィルムがキャップ５、保持体６を覆うように外装されている。
【００１８】
このように構成された容器１でお茶飲料を調製する方法について図１〜４を参照しつつ、図５を用いて説明する。
まず、キャップ５、保持体６を覆うシュリンクフィルムを剥がす。次に、キャップ５を上方に向けてネジ回す。すると、底止部８の上端８Ｕが保持体上部６Ｃの下端６ＣＢに当接し、さらにキャップ５をネジ回すと、上昇する収容側部５Ｉと、保持体上部（取外部）６Ｃの下端６ＣＢに当接して上昇することができない底止部８との間に逆方向の力が働いて、掛止凹部５Ｄから爪部８Ｃが外れる。これによって、底止部８が下方に落下するとともに、収容部内に収容されていた顆粒状のお茶エキス４が落下する（図５）。
【００１９】
落下した底止部８は、受部７によって受け止められる。このとき、底部８Ａの外径Ｌ２は、受部７の半径Ｌ１よりも大きいので、底止部８の一部が突起７Ａに突っかかり、底止部８は突起７Ａによって貫通孔７Ｂを閉塞することを防止できる。
一方、お茶エキス４は、貫通孔７Ｂまたは、取付部６Ｄの側面の貫通孔および貫通孔７ＣＡを経て容器本体３内の飲料水２中に落下する。
そして、容器１を手で保持してシェイクし、お茶エキス４を飲料水２に溶解させてお茶飲料を調製する。
【００２０】
次に、保持体下部６Ａを把持してねじりながら保持体６を容器本体３から分離させ、容器本体３の上端に口部Ｏを露出させて、この口部Ｏよりお茶飲料をグラスなどに注ぎ、または口部Ｏに直接口をつけてお茶飲料を飲む。
このように、この例の容器を用いるとお茶飲料は飲むときに調製されるので、風味や品質を損なうことなく本来の味を味わうことができる。
【００２１】
以上詳述したように、この発明の容器１は、飲料水（溶媒）２を貯留した容器本体３と、その容器本体３の上端に形成される口部Ｏを着脱自在に覆うとともに、顆粒状のお茶エキス（溶質）４を収容する収容側部５Ｉ（収容部）および着脱自在の底止部（収容部）８を内設したキャップ（蓋部）５とを備える。そして、キャップ５を容器本体３から取り外す際に底止部８を取り外すための保持体上部（取外部）６Ｃを備える。
蓋部が、収容部を有する着脱自在のキャップ５と、そのキャップ５の下部に取り付けられた保持体６とから構成され、その保持体６が、キャップ５を容器本体３から取り外す際に底止部８を取り外すための保持体上部６Ｃと、取り外された底止部８を受け止める受部７とを有し、その受部７に貫通孔７Ｂを設ける。さらに、取り外された底止部８が貫通孔７Ｂを塞ぐことを防止するための突起７Ａを受部７に備えるものである。
【００２２】
なお、上述の例では、お茶飲料を構成する溶質としてお茶エキス４、溶媒として飲料水２を用いたが、この発明はこれに限定されるものではなく、例えば、溶質としてビタミン剤、サプリメントなど、溶媒として加糖飲料、アルコール飲料などを用いてもよい。
また、上述の例では、容器本体３をＰＥＴで、キャップ５および保持体６を樹脂で形成したが、これに限定されるものではなく、例えば、アルミニウム、スチールなどで形成してもよい。
【図面の簡単な説明】
【００２３】
【図１】この発明の容器の一例を示すお茶エキスを備える容器の断面図である。
【図２】図１のキャップ付近の拡大断面図である。
【図３】（ａ）は底止部の平面図、（ｂ）は（ａ）のＡ矢視断面図である。
【図４】（ａ）は受部の平面図、（ｂ）は（ａ）のＢ矢視断面図である。
【図５】図１の容器のお茶エキスを飲料水内に落下させた状態を示す図である。
【符号の説明】
【００２４】
１      容器
２      飲料水（溶媒）
３      容器本体
４      お茶エキス（溶質）
５      キャップ（蓋部）
５Ｄ    掛止凹部
５Ｉ    収容側部
５Ｓ    キャップ側部
５Ｕ    キャップ天部
６      保持体（蓋部）
６Ａ    保持体下部
６Ｂ    保持体中部
６Ｃ    保持体上部
６Ｄ    取付部
７      受部
７Ａ    突起
７Ｂ，７ＣＡ  貫通孔
７Ｃ，８Ｂ    側部
７Ｄ，８Ａ    底部
７Ｅ    フック
８      底止部
８Ｃ    爪部
Ｏ      口部
【図１】
2007001652.tif 000003
【図２】
2007001652.tif 000004
【図３】
2007001652.tif 000005
【図４】
2007001652.tif 000006
【図５】
2007001652.tif 000007